(57)【要約】【課題】狭額縁化が可能な缶封止構造の有機ＥＬ装置を提供する。【解決手段】本発明の有機ＥＬ装置１００は、表示領域Ａを有する。基板１１０と、表示領域Ａにおける基板１１０の第１面１１０ａ側に設けられ、第１電極５３と第２電極５１との間に有機発光層を有する複数の有機ＥＬ素子５０と、表示領域Ａの周辺部における基板１１０の第１面１１０ａ側に配置され、複数の有機ＥＬ素子５０の各々の第１電極５３と共通して電気的に接続された導電部１４０と、第１面１１０ａ側に設けられ複数の有機ＥＬ素子５０と導電部１４０とを気密に収容する第１室１５０Ａを構成する第１封止部材１５０と、第２面１１０ｂ側に設けられ吸着材１７０を気密に収容する第２室１６０Ａを構成する第２封止部材１６０と、導電部１４０を貫通して第１室１５０Ａと第２室１６０Ａとを連通する貫通孔１４０Ａと、を備えている。【選択図】図３
2010003434.tif 000002
【特許請求の範囲】
【請求項１】
表示領域を有する有機エレクトロルミネッセンス装置であって、
基板と
前記表示領域における前記基板の第１面側に設けられ、第１電極と第２電極との間に有機発光層を有する複数の有機エレクトロルミネッセンス素子と、
前記表示領域の周辺部における前記基板の第１面側に配置され、前記複数の有機エレクトロルミネッセンス素子の各々の第１電極と電気的に接続されているとともに前記複数の有機エレクトロルミネッセンス素子で共通して設けられた導電部と、
前記基板の前記第１面側に設けられ、前記基板との間に前記複数の有機エレクトロルミネッセンス素子と前記導電部とを気密に収容する第１室を構成する第１封止部材と、
前記基板における前記第１面の裏面である第２面側に設けられ、前記基板との間に吸着材を気密に収容する第２室を構成する第２封止部材と、
前記基板と前記導電部とを貫通して前記第１室と第２室とを連通する貫通孔と、を備えていることを特徴とする有機エレクトロルミネッセンス装置。
【請求項２】
前記複数の有機エレクトロルミネッセンス素子の各々と電気的に接続された、走査線と信号線と電源線とを有し、前記導電部が前記走査線と信号線と電源線とのいずれとも重なり合わないで配置されていることを特徴とする請求項１に記載の有機エレクトロルミネッセンス装置。
【請求項３】
前記第１面における前記表示領域と前記導電部との間に配置され、前記複数の有機エレクトロルミネッセンス素子の各々の第２電極と電気的に接続されているとともに前記複数の有機エレクトロルミネッセンス素子で共通して設けられた第２導電部を備えていることを特徴とする請求項１又は２に記載の有機エレクトロルミネッセンス装置。
【請求項４】
前記表示領域の周辺部に設けられ、前記複数の有機エレクトロルミネッセンス素子の各々を駆動する駆動回路を有し、前記第２室が前記駆動回路と重ね合わされて配置されていることを特徴とする請求項１〜３のいずれか一項に記載の有機エレクトロルミネッセンス装置。
【請求項５】
前記表示領域における前記基板の前記第２面側の少なくとも一部を露出して前記第２封止部材が設けられていることを特徴とする請求項１〜４のいずれか一項に記載の有機エレクトロルミネッセンス装置。
【請求項６】
前記第２封止部材の全体が前記第１封止部材と重ね合わされて配置されていることを特徴とする請求項１〜５のいずれか一項に記載の有機エレクトロルミネッセンス装置。
【発明の詳細な説明】
【技術分野】
【０００１】
本発明は、有機エレクトロルミネッセンス装置に関する。
【背景技術】
【０００２】
有機エレクトロルミネッセンス（以下、有機ＥＬと称す）を用いた発光素子として、有機ＥＬ素子が知られている。有機ＥＬ素子は、正孔を供給する陽極と電子を供給する陰極との間に、有機ＥＬ材料からなる有機発光層を含んだ有機機能層を有するものである。供給された正孔と電子とが有機発光層内で結合して、光を生じるようになっている。有機ＥＬ素子は、画像表示装置や画像形成装置等への適用が考えられている。
【０００３】
多数の有機ＥＬ素子を備えた有機ＥＬ装置にあっては、有機ＥＬ素子が酸素や水分に曝されないようにすることが極めて重要である。酸素や水分との化学反応により有機ＥＬ素子に劣化を生じて、ダークスポット（暗点）の発生やその成長により表示不良を生じてしまうからである。このような観点から有機ＥＬ装置には、有機ＥＬ素子を水分等から保護する構造が設けられている。例えば、有機ＥＬ素子が設けられた素子基板を缶封止した缶封止構造が知られている。この封止缶の内側には水分等を吸着する吸着材が配置されており、水分が吸着材に捕捉されて有機ＥＬ素子に到達しなくなる。
【０００４】
有機ＥＬ装置にあっては狭額縁化が期待されており、特許文献１、２には狭額縁化が可能な缶封止構造が開示されている。
特許文献１では、表示領域の周辺領域の一部（例えば額縁の４辺のうち１辺のみ）に、乾燥剤（吸着材）を配置している。額縁の４辺のうち乾燥剤を配置しない３辺において狭額縁化が可能になっている。
特許文献２では、近接する発光部（有機ＥＬ素子）の間の領域にゲッター材（吸着材）を配置している。複数の有機ＥＬ素子が配置される表示領域内にゲッター材を配置することにより、表示領域の外側すなわち額縁と重なる領域にゲッター材を配置する必要がなくなり、狭額縁化が可能になっている。
【特許文献１】特開２００６−１１４４０５号公報
【特許文献２】特開２００４−２５９６９６号公報
【発明の開示】
【発明が解決しようとする課題】
【０００５】
特許文献１、２の技術を用いれば狭額縁化が可能な缶封止構造を提供することができると考えられるが、実際にこのような構造を採用すると以下のような不都合を生じるおそれがある。
特許文献１の技術では、乾燥剤を配置する領域を減らすことにより狭額縁化を図るものであるから、狭額縁化するほど配置可能な乾燥剤の量が少なくなる。そのため、乾燥剤の量と狭額縁化の程度とがトレードオフの関係となるので、缶封止構造の内側を良好に乾燥させるとともに狭額縁化することが難しくなる。
【０００６】
特許文献２の技術では、表示領域内の発光部の間にゲッター材を配置するので、画像の高精細化や高開口率化等を図るために発光部の間隔を狭くすると、ゲッター材の量を確保することが難しくなる。また、発光部の間の領域が狭くなると、この領域にゲッター材を高い位置精度で配置する必要が生じ、歩留り低下や高コスト化を生じるおそれもある。
【０００７】
本発明は、前記事情に鑑み成されたものであって、吸着材量の確保と狭額縁化とを両立可能な良好な有機ＥＬ装置を提供することを目的の１つとする。
【課題を解決するための手段】
【０００８】
本発明の有機エレクトロルミネッセンス装置は、表示領域を有する有機エレクトロルミネッセンス装置であって、基板と前記表示領域における前記基板の第１面側に設けられ、第１電極と第２電極との間に有機発光層を有する複数の有機エレクトロルミネッセンス素子と、前記表示領域の周辺部における前記基板の第１面側に配置され、前記複数の有機エレクトロルミネッセンス素子の各々の第１電極と電気的に接続されているとともに前記複数の有機エレクトロルミネッセンス素子で共通して設けられた導電部と、前記基板の前記第１面側に設けられ、前記基板との間に前記複数の有機エレクトロルミネッセンス素子と前記導電部とを気密に収容する第１室を構成する第１封止部材と、前記基板における前記第１面の裏面である第２面側に設けられ、前記基板との間に吸着材を気密に収容する第２室を構成する第２封止部材と、前記基板と前記導電部とを貫通して前記第１室と第２室とを連通する貫通孔と、を備えていることを特徴とする。
【０００９】
このようにすれば、有機エレクトロルミネッセンス素子が第１面に設けられており、吸着材を収容する第２室が基板の第２面側に配置されているので、第２室を第１面側に配置する場合に比べて第２室の寸法や配置の自由度が高くなる。したがって、第２室の容積を確保することができ、ここに収容される吸着材の量を確保することが可能になる。第１室に侵入した酸素や水分は貫通孔を通って第２室に移動し、第２室に配置された吸着材に吸着され捕捉される。前記のように吸着材量を確保することにより、所望の期間にわたって酸素や水分が捕捉され、酸素や水分による有機エレクトロルミネッセンス素子の劣化が防止される。
【００１０】
また、導電部を貫通してすなわち導電部と重なる領域に、第１室と第２室とを連通する貫通孔が配置されているので、導電部と重ならない領域に貫通孔を設ける場合に比べて貫通孔を配置するスペースを省くことができ狭額縁化が可能になる。また、導電部が複数の有機エレクトロルミネッセンス素子で、その各々の第１電極に共通して設けられているので、貫通孔を設けたことによる電気的な特性変化等が複数の有機エレクトロルミネッセンス素子で均一になる。以上のように本発明によれば、有機エレクトロルミネッセンス素子の劣化が所望の期間にわたって防止されるとともに狭額縁化が可能な有機エレクトロルミネッセンス装置を提供することができる。
【００１１】
また、前記複数の有機エレクトロルミネッセンス素子の各々と電気的に接続された、走査線と信号線と電源線とを有し、前記導電部が前記走査線と信号線と電源線とのいずれとも重なり合わないで配置されていることが好ましい。
このようにすれば、走査線と信号線と電源線とがいずれも導電部と重なり合わないので、これら配線が貫通孔を設けたことにより断線されることがなくなる。したがって、貫通孔の位置や寸法に対する制約が緩やかになり、貫通孔を大型化することが容易になる。貫通孔を大型化すれば、第１室の水分等が第２室側に良好に流通するようになるので、水分等が確実に捕捉されるようになる。
【００１２】
また、前記第１面における前記表示領域と前記導電部との間に配置され、前記複数の有機エレクトロルミネッセンス素子の各々の第２電極と電気的に接続されているとともに前記複数の有機エレクトロルミネッセンス素子で共通して設けられた第２導電部を備えていることが好ましい。
このようにすれば、導電部を貫通して貫通孔が設けられており表示領域と導電部との間に第２導電部が設けられているので、貫通孔が第２導電部と表示領域との間を貫通することがない。したがって、第２導電部と複数の有機エレクトロルミネッセンス素子の各々とを電気的に接続する配線が貫通孔により断線することがなくなる。また、第２導電部は、複数の有機エレクトロルミネッセンス素子で共通して設けられているので、第２導電部と有機エレクトロルミネッセンス装置の外部側とを電気的に接続する配線（以下、外部接続配線と称す）の数としては、複数の有機エレクトロルミネッセンス素子の各々と第２導電部とを電気的に接続する配線（以下、内部配線と称す）の数よりも少なくすることができる。したがって、外部接続配線の間隔を内部配線の間隔よりも広くすることが可能になり、外部接続配線に断線を生じることなく外部接続配線の間に貫通孔を配置することが容易になる。
【００１３】
また、前記表示領域の周辺部に設けられ、前記複数の有機エレクトロルミネッセンス素子の各々を駆動する駆動回路を有し、前記第２室が前記駆動回路と重ね合わされて配置されていることが好ましい。
駆動回路は有機エレクトロルミネッセンス素子を機能させるために必要なものであり、その配置スペースを省くことは難しいと考えられる。前記のように駆動回路と重ね合わされて第２室が配置されていれば、駆動回路の配置スペースを利用して第２室の容積を確保することができる。
【００１４】
また、前記表示領域における前記基板の前記第２面側の少なくとも一部を露出して前記第２封止部材が設けられていることが好ましい。
第２室内は第２封止部材によって気密になっておりその熱伝導率が低いため、基板の第２面側のうち第２室と重なる部分では重ならない部分よりも放熱性が低くなる。表示領域の基板には有機エレクトロルミネッセンス素子の動作による熱が伝わるが、前記のように表示領域において基板の第２面側の少なくとも一部を露出して第２封止部材が設けられていれば、露出部分からこの熱を良好に逃がすことができる。
【００１５】
また、前記第２封止部材の全体が前記第１封止部材と重ね合わされて配置されていることが好ましい。
このようにすれば、第２封止部材が第１封止部材から張出して配置される場合に比べて、狭額縁化が図られる。
【発明を実施するための最良の形態】
【００１６】
以下、本発明の実施形態を説明するが、本発明の技術範囲は以下の実施形態に限定されるものではない。以降の説明では図面を用いて各種の構造を例示するが、構造の特徴的な部分を分かりやすく示すために、図面中の構造と実際の構造とで寸法や縮尺を異ならせて示す場合がある。本実施形態の有機ＥＬ装置は、アクティブマトリクス方式のフルカラー画像表示装置である。１画素が３つのサブ画素からなっており、３つのサブ画素は互いに異なる色光（赤・緑・青）を射出するようになっている。
【００１７】
［第１実施形態］
図１は、本実施形態の有機ＥＬ装置１００の配線構造を示す模式図である。図１に示すように、有機ＥＬ装置１００は、互いが平行して延びる複数の走査線１１と、走査線１１に直交して延びる複数の信号線２１と、信号線２１と平行に延びる複数の電源線４１と、を備えている。信号線２１は、シフトレジスタ、レベルシフタ、ビデオライン及びアナログスイッチ等を有する信号線駆動回路２０と電気的に接続されている。また、走査線１１は、シフトレジスタ及びレベルシフタを有する走査線駆動回路１０と電気的に接続されている。走査線駆動回路１０や信号線駆動回路２０は、ドライバ（図示略）と電気的に接続されており、ドライバは外部接続端子（図示略）と電気的に接続されている。
【００１８】
外部接続端子からドライバに画像情報を含んだ電気信号が供給されると、ドライバは走査線駆動回路１０用の電気信号や信号線駆動回路２０用の電気信号を生成し、これら電気信号を走査線駆動回路１０あるいは信号線駆動回路２０に供給する。走査線駆動回路１０は、ドライバから複数の走査線１１用の電気信号を一括して受け取り、この電気信号を処理して各走査線１１に電気信号を供給する。このように、走査線駆動回路１０が複数の走査線１１用の電気信号を一括して受け取るので、ドライバと走査線駆動回路１０との間の配線（内部配線）の本数が走査線１１よりも少なくなる。したがって、内部配線の間隔を走査線１１の間隔よりも広くすることができる。また、信号線駆動回路２０についても同様になっており、ドライバと信号線駆動回路２０との間の配線の間隔を信号線２１の間隔よりも広くすることができる。
【００１９】
走査線１１及び信号線２１により区画される領域の各々がサブ画素になっている。各サブ画素には、発光素子として機能する有機ＥＬ素子５０や、有機ＥＬ素子５０に供給される電気信号をスイッチングするスイッチング素子等が設けられている。各有機ＥＬ素子５０は、第１電極と第２電極との間に有機発光層を含んだ有機機能層５２を有している。本実施形態では、陰極として機能する共通電極５３が第１電極になっており、陽極として機能する画素電極５１が第２電極になっている。共通電極５３は、複数の有機ＥＬ素子５０で共通して設けられている。前記スイッチング素子として、第１スイッチング素子３１と第２スイッチング素子３２とが設けられており、第１スイッチング素子３１によりスイッチングされた電気信号を保持する保持容量３４が設けられている。
【００２０】
第１スイッチング素子３１のソース電極は、信号線２１から分岐されたものであり、第１スイッチング素子３１のドレイン電極は、第２スイッチング素子３２のゲート電極に電気的に接続されている。また、第１スイッチング素子３１の能動層は、ゲート絶縁膜を介して信号線２１と重なり合うように設けられており、重なり合う部分の信号線２１がゲート電極として機能するようになっている。
【００２１】
第２スイッチング素子３２のソース電極は、電源線４１から分岐されたものであり、第２スイッチング素子３２のドレイン電極は、有機ＥＬ素子５０の画素電極５１と電気的に接続されている。保持容量３４は、その一端が第１スイッチング素子３１のドレイン電極と第２スイッチング素子３２のゲート電極との間に電気的に接続されているともに、他端が電源線４１に電気的に接続されている。第２スイッチング素子３２のゲート電極に印加された電圧を保持容量３４に所定期間保持することができるようになっている。
【００２２】
このような構成により、走査線駆動回路１０から所定のタイミングで発せられた電気信号は、走査線１１を介して第１スイッチング素子３１のゲート電極に供給され、第１スイッチング素子３１をオンにする。第１スイッチング素子３１がオンになると、信号線駆動回路２０からの電気信号が、信号線２１を介して第１スイッチング素子３１のソース電極に供給される。この電気信号は、第１スイッチング素子３１の能動層を介して第２スイッチング素子３２のゲート電極に供給され、第２スイッチング素子３２をオンにする。すると、電源線４１からの電気信号が、第２スイッチング素子３２のソース電極及びドレイン電極を介して有機ＥＬ素子５０の画素電極５１に供給される。これにより、画素電極５１と共通電極５３との間に電気信号に応じた電圧が印加され、この電圧値に応じた電流が有機機能層５２に流れることにより、有機発光層に発光を生じるようになっている。
【００２３】
図２は、有機ＥＬ装置１００の構成を概略して示す斜視図である。有機ＥＬ装置１００は、ガラス等からなる基板１１０の第１面１１０ａ側に設けられた発光素子層１３０を有している。発光素子層１３０は、所定の表示領域に配置されており、ここでは平面視略長方形状になっている。
以下、図２に示したＸＹＺ直交座標系を設定し、これに基づいて部材の位置関係を説明する。このＸＹＺ直交座標系においてＸ方向及びＹ方向は、基板１１０の面方向に沿っており、発光素子層１３０の長辺方向をＸ方向、短辺方向をＹ方向としている。発光素子層１３０は、Ｙ方向において基板１１０の一方の端に寄せて配置されており、ここでは一方の端側をＹ正方向とし、その反対側をＹ負方向とする。また、基板１１０の厚さ方向をＺ方向としており、その第１面１１０ａ側をＺ正方向、第１面１１０ａの裏面となる第２面１１０ｂ側をＺ負方向とする。
【００２４】
基板１１０のＺ正方向側に回路形成層１２０が設けられている。回路形成層１２０は、その詳細な構造を図示しないものの、絶縁膜を介した複数の層からなっている。図１に示した第１スイッチング素子３１、第２スイッチング素子３２等の各種スイッチング素子、走査線１１、信号線２１、電源線４１等の各種配線、走査線駆動回路１０、信号線駆動回路２０等の駆動回路は、前記複数の層に分けて形成されている。表示領域における回路形成層１２０のＺ正方向側には、発光素子層１３０が配置されており、発光素子層１３０には多数の有機ＥＬ素子５０が設けられている。
【００２５】
発光素子層１３０のＹ負方向側には画素電極と電気的に接続されている第１の導電部４０（第２導電部）が設けられており、第１の導電部４０のＹ負方向側には第２の導電部（導電部）１４０が設けられている。第２の導電部１４０は、有機ＥＬ素子５０の共通電極５３と電気的に接続されている。本実施形態の第２の導電部１４０は、Ｘ方向に延設された陰極配線１４１とＹ方向に延設された陰極配線１４２とからなるＬ字型になっている。陰極配線１４２は共通電極５３と導通しており、これにより第２の導電部１４０が複数の有機ＥＬ素子５０に共通して電気的に接続される。陰極配線１４１には、陰極配線１４１、回路形成層１２０、基板１１０を貫通する貫通孔１４０Ａが設けられている。
【００２６】
回路形成層１２０のＺ正方向側、すなわち基板１１０の第１面１１０ａ側に当接して、第１封止部材１５０が設けられている。第１封止部材１５０において回路形成層１２０と当接する側には凹部が設けられており、この凹部の内壁と回路形成層１２０とに囲まれる部分が第１室１５０Ａになっている。発光素子層１３０及び第２の導電部１４０は、第１室１５０Ａに気密に封止されている。
【００２７】
基板１１０のＺ負方向側に当接して第２封止部材１６０が設けられている。第２封止部材１６０において基板１１０と当接する側には凹部が設けられており、この凹部の内壁と基板１１０と囲まれる部分が第２室１６０Ａになっている。第１室１５０Ａと第２室１６０Ａとは、貫通孔１４０Ａにより連通している。これにより、第１室１５０Ａ内のガスが貫通孔１４０Ａを通って第２室１６０Ａ側に流通するようになっている。
【００２８】
第２室１６０Ａには吸着材１７０が気密に収容されている。吸着材１７０は、第１室１５０Ａ側から流通したガスを含んだ第２室１６０Ａのガスのうち、有機ＥＬ素子５０を劣化させる酸素や水分等の劣化ガスを吸着し捕捉するものである。吸着材１７０としては、捕捉した酸素及び水分を脱離しないもの、例えばアルカリ金属やアルカリ土類金属等からなるものがよい。アルカリ金属やアルカリ土類金属は、酸素、水分と化学反応して、反応生成物（水酸化物）を生じる。この反応性生物は、アルカリ金属やアルカリ土類金属よりも化学的に安定であるため、捕捉された酸素や水分が脱離してしまうことがない。
【００２９】
図３（ａ）は、有機ＥＬ装置１００の構成を概略して示す平面図であり、図３（ｂ）は、図３（ａ）のＢ‐Ｂ線矢視断面図である。図３（ａ）に示すように、発光素子層１３０は、表示領域Ａの全体と重なる部分に配置されている。表示領域Ａにおける回路形成層１２０には、複数の走査線１１（図１参照）がＸ方向と平行に延設されている。複数の走査線１１は、表示領域Ａの外側のＸ負方向側に設けられた走査線駆動回路１０まで延設されており、走査線駆動回路１０と電気的に接続されている。
【００３０】
また、表示領域Ａにおける回路形成層１２０には、走査線１１と異なる層に複数の信号線２１、複数の電源線４１（図１参照）がＹ方向と平行に延設されている。複数の電源線４１は、表示領域Ａの外側のＹ負方向側まで延設されており、さらにコンタクトホール等を用いて回路形成層１２０の表面に引き出されている。表面に引き出された複数の電源線４１は、表示領域Ａの外側のＹ負方向に設けられた第１の導電部４０に一括して電気的に接続されている。複数の信号線２１は、第１の導電部４０よりもＹ負方向側に設けられた信号線駆動回路２０まで延設されており、信号線駆動回路２０と電気的に接続されている。走査線駆動回路１０、信号線駆動回路２０は、図示略のドライバと電気的に接続されており、第１の導電部４０や陰極配線１４１は図示略の電源と電気的に接続可能になっている。走査線駆動回路１０や信号線駆動回路２０とドライバとの間の配線、第１の導電部４０や陰極配線１４１と電源との間の配線は、貫通孔１４０Ａと交差しないように引回されている。
【００３１】
基板１１０の第１面１１０ａ側には第１封止部材１５０が設けられている。第１封止部材１５０の内側に位置する第１室１５０Ａ内には、発光素子層１３０、第２の導電部１４０、第１の導電部４０が気密に収容されている。発光素子層１３０は、表示領域Ａを複数のサブ画素に区画する隔壁１３１と、隔壁１３１の間に設けられた有機ＥＬ素子５０とを有している。有機ＥＬ素子５０は、回路形成層１２０側から順に設けられた画素電極５１、有機機能層５２、共通電極５３を有している。共通電極５３は、発光素子層１３０のＺ正方向側において複数の有機ＥＬ素子５０で共通して設けられているとともに、発光素子層１３０の側方にも設けられており、陰極配線１４２と導通している。
【００３２】
基板１１０の第２面１１０ｂ側には第２封止部材１６０が設けられている。本実施形態の第２封止部材１６０は、その全体が第１封止部材１５０の内側と重なるように配置されているとともに、発光素子層１３０と重ならないように配置されている。陰極配線１４１、回路形成層１２０、基板１１０を貫通して貫通孔１４０Ａが設けられている。第１室１５０Ａは、貫通孔１４０Ａを介して第２室１６０Ａと連通しており、第２室１６０Ａには吸着材１７０が気密に収容されている。
【００３３】
以上のような構成の有機ＥＬ装置１００において、第１室１５０Ａの外側から内側に水分や酸素等の有機ＥＬ素子５０を劣化させる劣化ガスが浸入すると、この劣化ガスは貫通孔１４０Ａを通って第２室１６０Ａ内に拡散する。第２室１６０Ａ内に拡散した劣化ガスは、吸着材１７０と化学反応することにより捕捉され、第２室１６０Ａ及び第１室１５０Ａにおける劣化ガスの濃度が、吸着材１７０を設けない場合よりも格段に低くなる。
【００３４】
また、有機ＥＬ装置１００の製造直後に、有機ＥＬ素子５０の形成材料に起因する成分や形成用溶媒等の揮発ガスが第１室１５０Ａ内に残留していることや、第１室１５０Ａや第２室１６０Ａに製造プロセスにおける雰囲気ガスが残留していることもある。これら残留ガスのなかに水分や酸素が含まれていることもあるが、このような劣化ガスも外部から侵入したものと同様に吸着材１７０に捕捉されるので、第１室１５０Ａにおける劣化ガスの濃度が格段に低くなる。
【００３５】
吸着材１７０は、劣化ガスと化学反応することによりこれを捕捉するので、補足された劣化ガスが脱離することがないが、一方で吸着材１７０の量に応じた量を超えた劣化ガスを補足することができない。前記の構成によれば、第２面１１０ｂ側に吸着材１７０を配置しているので、これを陰極配線１４１や第１の導電部４０等と重ねて配置することができる。したがって、第１面１１０ａ側に配置する場合よりも吸着材１７０の配置面積や厚みを増やすことができ、劣化ガスを捕捉するために必要な吸着材１７０の量を確保することができる。
【００３６】
また、第２面１１０ｂ側に吸着材１７０を配置しているので、以下の理由により有機ＥＬ装置１００の狭額縁化が可能になる。陰極配線１４１や第１の導電部４０、信号線駆動回路２０等は、有機ＥＬ素子５０を動作させる上で必要不可欠な構成要素であるから、その配置スペースをなくすことはできない。吸着材１７０を第１面１１０ａ側に配置しようとすれば、前記の配置スペースとは別に吸着材１７０を配置するスペースが必要になる。一方、本実施形態のように第２面１１０ｂ側に吸着材１７０を配置すれば、この配置スペースと重なる部分に吸着材１７０を配置することが可能になり、配置スペースを第１面１１０ａ側と第２面１１０ｂ側の両面で利用することができる。これにより、前記の必要不可欠な構成要素の配置スペースと別に吸着材１７０を配置するためのスペースを確保する必要が減るので、狭額縁化が図られる。
【００３７】
このような構成を採用する上で、貫通孔１４０Ａの配置位置を定めることは容易ではない。例えば、走査線１１の間隔や信号線２１の間隔、電源線４１の間隔はサブ画素のサイズと同程度であるから、これら各種配線が設けられた領域に貫通孔１４０Ａを配置すると、前記の間隔よりも貫通孔１４０Ａの内径を小さくする必要があり、貫通孔１４０Ａを通して劣化ガスを良好に流通させることが難しくなる。また、貫通孔１４０Ａを設ける位置に高い精度が要求されるようになり、製造コストが増加することや歩留りが低下するおそれがある。このような観点から、貫通孔１４０Ａを大きくするとともに前記の必要不可欠な構成要素と別の位置に貫通孔１４０Ａを配置すると、狭額縁化する効果が低くなってしまう。
【００３８】
本実施形態のように、第２の導電部１４０と発光素子層１３０とが並ぶ方向（ここではＹ負方向）において第２の導電部１４０の発光素子層１３０と反対側に、有機ＥＬ素子５０を動作させる上で必要な電極（例えば第１の導電部４０）や回路（例えば信号線駆動回路２０）を配置しない構成にすれば、電極や回路と有機ＥＬ素子５０とを電気的に接続する配線（例えば電源線４１、信号線２１）が第２の導電部１４０と交差しなくなる。また、信号線駆動回路２０とドライバとの間の配線の本数としては、信号線２１の本数よりも少なくなり、走査線駆動回路１０とドライバとの間の配線の本数も信号線２１の本数よりも少なくなる。また、第１の導電部４０は、複数の有機ＥＬ素子５０で共通になっているので、第１の導電部４０と電源との間の配線の本数は電源線４１の本数よりも少なくなる（端的には１本）。信号線駆動回路２０とドライバとの間の配線が一本である場合には、この配線が貫通孔１４０Ａと重ならないようにすることは極めて容易である。また、複数本数である場合にもその間隔を信号線２１等の間隔よりも広くすることができるので、複数の配線の間に貫通孔１４０Ａを配置することが容易になる。したがって、第２の導電部１４０に貫通孔１４０Ａを設けることによる配線の断線がなくなり、狭額縁化の妨げにならずに貫通孔１４０Ａを大型化することが容易になる。貫通孔１４０Ａを大型化することにより、貫通孔１４０Ａを通して劣化ガスを良好に流通させることができ、劣化ガスを吸着材１７０に確実に吸着させることが可能になる。
【００３９】
また、発光素子層１３０において、回路形成層１２０と当接する側と反対側（Ｚ正方向側）、すなわち表面側に共通電極５３が設けられているので、これと導通する陰極配線１４２を設けることや陰極配線１４２を引回すことが容易になり、陰極配線１４１の配置自由度が高くなる。また、第２の導電部１４０が共通電極５３と導通しており複数の有機ＥＬ素子５０で共通して設けられているので、第２の導電部１４０に貫通孔１４０Ａを設けることによる電気特性への影響は複数の有機ＥＬ素子５０で均一になる。したがって、貫通孔１４０Ａを設けることにより複数の有機ＥＬ素子５０で発光輝度がばらつくこともない。
【００４０】
また、第２封止部材１６０が発光素子層１３０と重ならないように配置されているので、第２封止部材１６０を設けることにより放熱性が低下することもない。詳しくは、動作時に発光素子層１３０が発熱してこの熱が基板１１０の第２面１１０ｂ側に伝わり、特に発光素子層１３０と重なる部分が昇温する。発光素子層１３０と重なる部分に第２封止部材１６０が設けられていると、第２室１６０Ａ内が気密になっておりこの部分の熱伝導率が極めて低いので、放熱性が低下してしまう。本実施形態では、発光素子層１３０と重なる部分において基板１１０の第２面１１０ｂ側が露出しているので、ここから熱を良好に逃がすことができる。
【００４１】
［実験例］
次に、吸着材を設けることによる効果を実験例に基づいて説明する。図４は、吸着材の有無による発光輝度の時間変化の比較を示すグラフである。図４のグラフにおいて、縦軸は実験開始時の初期輝度Ｌ０を１００％とした輝度変化率Ｌ／Ｌ０を示し、横軸は実験開始からの時間を示している。なお、吸着材を設けた本発明の有機ＥＬ装置（以下、実験例と称す）、吸着材を設けない有機ＥＬ装置（以下、比較例と称す）は、いずれも同様に製造後にエイジング処理を行っており、エイジング処理後に実験を行っている。エイジング処理は、有機ＥＬ素子に熱処理や通電を行うことにより、有機ＥＬ素子を初期劣化させる処理である。一般に有機ＥＬ素子は、形成直後において劣化が顕著であり、劣化に伴って発光輝度が顕著に低下する。このような状態で製品化すると使用時において発光輝度が急激に低下してしまうが、エイジング処理を行うことにより使用時の発光輝度の低下を有機ＥＬ素子の形成直後よりも緩やかにすることができる。
【００４２】
図４のグラフによれば、本発明を適用した実験例は比較例に比べて、実験開始直後の発光輝度の低下が緩やかになっていることが分かる。これは、実験例では、有機ＥＬ装置の製造後に第１室内に残留していた劣化ガスが吸着材に捕捉されることにより、有機ＥＬ素子の劣化が低減されたためと考えられる。また、実験例は比較例に比べて、長時間経過後の発光輝度が高くなっていることも分かる。これは、吸着材の量を確保することができるので、長期間にわたって劣化ガスを捕捉させることが可能になったためと考えられる。このような理由により、本発明を適用した実験例は比較例よりも長期間にわたって発光輝度が高くなっており、結果として格段に長寿命になっている。
【００４３】
以上のような本発明の有機ＥＬ装置にあっては、劣化ガスが吸着材１７０に良好に捕捉されるので、有機ＥＬ素子５０の劣化が防止される。したがって、暗点等の表示不良を生じることや有機ＥＬ素子５０が短寿命化することが防止され、良好な有機ＥＬ装置１００になる。また、第２面１１０ｂ側の第２室１６０Ａに吸着材１７０を配置しているので、劣化ガスを捕捉するために必要な吸着材１７０の量を確保することが可能になるとともに狭額縁化が可能になり、良好な有機ＥＬ装置１００になる。
【００４４】
なお、走査線１１、信号線２１、電源線４１の配線構造や、走査線駆動回路１０、信号線駆動回路２０等の回路配置、第１の導電部４０、第２の導電部１４０等の電極配置については、前記実施形態と異なる様態のものを本発明の趣旨の範囲内で適宜設計して採用しうる。以下、前記実施形態と異なる様態の有機ＥＬ装置を説明する。
【００４５】
［第２実施形態］
図５（ａ）は、第２実施形態の有機ＥＬ装置２００の構成を概略して示す平面図である。第２実施形態が第１実施形態と異なる点は、発光素子層１３０を挟む両側に、それぞれ陰極配線１４１が配置されている点である。陰極配線１４１と発光素子層１３０との間には前記第１実施形態と同様に、発光素子層１３０側から順に信号線駆動回路２０、第１の導電部４０が設けられている。発光素子層１３０を挟む一方の側において、陰極配線１４１、信号線駆動回路２０、第１の導電部４０と重なり、かつ発光素子層１３０と重ならない部分に第２封止部材１６０が設けられており、他方の側においても同様に第２封止部材１６０が設けられている。２つの第２封止部材１６０の内側は、独立した第２室（図示略）になっており、２つの第２室の各々には吸着剤が収容されている。このような構成によれば、発光素子層１３０を挟む両側に貫通孔１４０Ａが配置されており、ここを通して劣化ガスを補足することができるので、発光素子層１３０から劣化ガスを均一に除去することができる。
なお、陰極配線１４２にも貫通孔を設けるとともに、陰極配線１４２と重なる部分における第２面１１０ｂ側も第２封止部材を設けて第２室を構成し、この第２室内にも吸着材を配置するようにしてもよい。
【００４６】
［第３実施形態］
図５（ｂ）は、第３実施形態の有機ＥＬ装置３００の構成を概略して示す平面図である。第３実施形態が第１実施形態と異なる点は、信号線駆動回路２０と第１の導電部４０とが発光素子層１３０を挟んで配置されており、これと直交する方向において走査線駆動回路１０と第２の導電部１４０とが発光素子層１３０を挟んで配置されている点である。前記したように、共通電極５３が発光素子層１３０において回路形成層１２０に当接しない側に設けられているので、共通電極５３を回路形成層１２０の表面に取り出すことは極めて容易である。すなわち、第２の導電部１４０は他の電極や駆動回路よりも配置自由度が高いので、走査線駆動回路１０、信号線駆動回路２０、第１の導電部４０等を配線の引回しが容易になるように配置し、これらと重ならないように第２の導電部１４０を配置することは容易である。例えば、本実施形態のように発光素子層１３０を囲む４方向のうちの３方向に走査線駆動回路１０、信号線駆動回路２０、第１の導電部４０を配置し、残りの１方向に第２の導電部１４０を配置すれば、走査線１１、信号線２１、電源線４１のいずれとも重なり合わない第２の導電部１４０とすることができる。
【００４７】
次に、本発明の有機ＥＬ素子を有する画像表示装置（有機ＥＬ装置）を表示部に用いた電子機器について説明する。
【００４８】
図６（ａ）は、携帯電話の一例を示した斜視図である。携帯電話５００は表示部５１０を備えており、表示部５１０は本発明の有機ＥＬ装置により構成されている。
図６（ｂ）は、ワープロ、パソコンなどの携帯型情報処理装置の一例を示した斜視図である。情報処理装置６００は、キーボードなどの入力部６１０、表示部６２０、筐体６３０等を備えている。また、表示部６２０は、本発明の有機ＥＬ装置により構成されている。  
図６（ｃ）は、腕時計型電子機器の一例を示した斜視図である。時計７００は表示部７１０を備えている。表示部７１０は、本発明の有機ＥＬ装置により構成されている。
【００４９】
図６（ａ）〜（ｃ）に示す電子機器はいずれも、その表示部が本発明の有機ＥＬ装置により構成されているので、暗点等による表示不良が防止されているとともに狭額縁化が可能になっており、しかも長寿命のものとなっている。
【００５０】
なお、電子機器としては、前記電子機器に限られることなく、種々の電子機器に適用することができる。例えば、ディスクトップ型コンピュータ、マルチメディア対応のパーソナルコンピュータ（ＰＣ）及びエンジニアリング・ワークステーション（ＥＷＳ）、ページャ、ワードプロセッサ、テレビ、ビューファインダ型又はモニタ直視型のビデオテープレコーダ、電子手帳、電子卓上計算機、カーナビゲーション装置、ＰＯＳ端末、タッチパネルを備えた装置等の電子機器に適用することができる。
【図面の簡単な説明】
【００５１】
【図１】第１実施形態の有機ＥＬ装置の配線構造を示す模式図である。
【図２】第１実施形態の有機ＥＬ装置の構成を概略して示す斜視図である。
【図３】（ａ）は、有機ＥＬ装置の概略平面図、（ｂ）はＢ‐Ｂ線矢視断面図である。
【図４】吸着材の有無による発光輝度の時間変化の比較を示すグラフである。
【図５】（ａ）、（ｂ）は、第１実施形態と異なる有機ＥＬ装置の概略平面図である。
【図６】（ａ）〜（ｃ）は、有機ＥＬ装置を備えた電子機器を示す斜視図である。
【符号の説明】
【００５２】
１００、２００、３００・・・有機ＥＬ装置、１０・・・走査線駆動回路（駆動回路）、１１・・・走査線、２０・・・信号線駆動回路（駆動回路）、２１・・・信号線、４０・・・第１の導電部（第２導電部）、４１・・・電源線、５０・・・有機ＥＬ素子、５１・・・画素電極（第２電極）、５２・・・有機機能層、５３・・・共通電極（第１電極）、１４０・・・第２の導電部（導電部）、１４０Ａ・・・貫通孔、１５０・・・第１封止部材、１５０Ａ・・・第１室、１６０・・・第２封止部材、１６０Ａ・・・第２室、１７０・・・吸着剤、Ａ・・・表示領域
【図１】
2010003434.tif 000003
【図２】
2010003434.tif 000004
【図３】
2010003434.tif 000005
【図４】
2010003434.tif 000006
【図５】
2010003434.tif 000007
【図６】
2010003434.tif 000008